(57)【要約】【課題】画像処理装置を使用するユーザの作業を妨げることなく、ユーザに対して効果的な広告を提供する。【解決手段】画像データ提供システムは、画像処理装置が有する機能の実行を指示するためにユーザにより操作されるクライアント端末と、前記画像処理装置を介してユーザに提供される所定の画像データを管理する一以上の装置から構成される管理システムとを有する画像データ提供システムであって、前記管理システムは、前記所定の画像データとユーザの属性情報とを対応付けて管理する管理手段を有し、前記クライアント端末は、前記画像処理装置を介して、当該クライアント端末を操作するユーザの属性情報に基づく、前記管理手段により管理される前記所定の画像データを取得する取得手段と、前記取得手段により取得された前記所定の画像データが含まれた、前記機能の実行条件を設定するための設定画面を生成する生成手段とを有する。【選択図】図５
2015046015.tif 000002
【特許請求の範囲】
【請求項１】
画像処理装置が有する機能の実行を指示するためにユーザにより操作されるクライアント端末と、前記画像処理装置を介してユーザに提供される所定の画像データを管理する一以上の装置から構成される管理システムとを有する画像データ提供システムであって、
前記管理システムは、
前記所定の画像データとユーザの属性情報とを対応付けて管理する管理手段を有し、
前記クライアント端末は、
前記画像処理装置を介して、当該クライアント端末を操作するユーザの属性情報に基づく、前記管理手段により管理される前記所定の画像データを取得する取得手段と、
前記取得手段により取得された前記所定の画像データが含まれた、前記機能の実行条件を設定するための設定画面を生成する生成手段とを有する画像データ提供システム。
【請求項２】
前記取得手段は、
前記クライアント端末にインストールされている、前記画像処理装置が有する機能の実行を制御するためのプログラムが起動された場合、前記所定の画像データを取得する請求項１記載の画像データ提供システム。
【請求項３】
前記管理システムは、
前記画像処理装置を使用したユーザに関する使用履歴情報を記憶する記憶手段と、
前記管理手段により管理された前記所定の画像データに対応付けられたユーザの属性情報を有するユーザが使用した前記画像処理装置に、該所定の画像データを配信する配信手段とを有し、
前記取得手段は、
前記所定の画像データが配信された画像処理装置から、前記所定の画像データを取得する請求項1又は２記載の画像データ提供システム。
【請求項４】
前記管理システムは、
前記所定の画像データの提供先とするユーザの属性情報の指定を受け付ける受付手段を有する請求項１乃至３のいずれか一項に記載の画像データ提供システム。
【請求項５】
前記所定の画像データには、所定のリンク情報が含まれ、
前記クライアント端末は、
前記生成手段により生成された前記設定画面に含まれる前記所定の画像データが選択された場合、該所定の画像データに含まれる前記所定のリンク情報に対してアクセスを行うアクセス手段を有する請求項１乃至４のいずれか一項に記載の画像データ提供システム。
【請求項６】
前記生成手段は、
前記設定画面内の所定の領域に、前記所定の画像データを挿入する請求項１乃至５のいずれか一項に記載の画像データ提供システム。
【請求項７】
画像処理装置が有する機能の実行を制御し、ユーザが操作するクライアント端末が実行するプログラムと、前記画像処理装置を介してユーザに提供される所定の画像データを管理する一以上の装置から構成される管理システムとを有する画像データ提供システムであって、
前記管理システムは、
前記所定の画像データとユーザの属性情報とを対応付けて管理する管理手段を有し、
前記プログラムは、
前記クライアント端末を、
前記画像処理装置を介して、当該クライアント端末を操作するユーザの属性情報に基づく、前記管理手段により管理される前記所定の画像データを取得する取得手段、
前記取得手段により取得された前記所定の画像データが含まれた、前記機能の実行条件を設定するための設定画面を生成する生成手段として機能させる画像データ提供システム。
【請求項８】
所定の画像データを有する画像処理装置が備える機能の実行を制御し、ユーザが操作するクライアント端末において実行される機能制御プログラムであって、
前記クライアント端末を、
前記画像処理装置から前記ユーザの属性情報に基づく前記所定の画像データを取得する取得手段、
前記取得手段により取得された前記所定の画像データが含まれた、前記機能の実行条件を設定するための設定画面を生成する生成手段として機能させる機能制御プログラム。
【請求項９】
所定の画像データを有する印刷装置の印刷処理を制御し、ユーザが操作するクライアント端末において実行されるプリンタドライバであって、
前記クライアント端末を、
前記印刷装置から前記ユーザの属性情報に基づく前記所定の画像データを取得する取得手段、
前記取得手段により取得された前記所定の画像データが含まれた、前記印刷処理における印刷設定を行うための印刷設定画面を生成する生成手段として機能させるプリンタドライバ。
【請求項１０】
画像処理装置が有する機能の実行を指示するためにユーザにより操作されるクライアント端末に、一以上の装置から構成される管理システムにより管理される所定の画像データを表示させるための表示制御方法であって、
前記管理システムが、前記所定の画像データとユーザの属性情報とを対応付けて管理する管理ステップと、
前記クライアント端末が、前記画像処理装置を介して、当該クライアント端末を操作するユーザの属性情報に基づく、前記管理ステップにより管理される前記所定の画像データを取得する取得ステップと、
前記取得ステップにより取得された前記所定の画像データが含まれた、前記機能の実行条件を設定するための設定画面を生成する生成ステップとを有する表示制御方法。
【発明の詳細な説明】
【技術分野】
【０００１】
本発明は、画像データ提供システム、機能制御プログラム、プリンタドライバ及び表示制御方法に関する。
【背景技術】
【０００２】
現在、デジタル化された広告が普及しており、例えばネットワークを介して広告の画像データ（広告画像）を配信し、配信先の装置で表示させることができる。例えば、特許文献１には、ＭＦＰ（Multifunction Peripheral）を配信先の装置として、ＭＦＰの操作パネルに広告画像を表示させる技術が記載されている。
【０００３】
しかしながら、操作パネルの表示領域はＰＣ（Personal Computer）等のディスプレイに比べて小さく、性能も劣るのが一般的であり、しかも立ちながらの操作となるため使い勝手が悪い。さらに、ＭＦＰは複数の人が利用するため長時間操作パネルを占有するのは問題がある。
【０００４】
また、ＭＦＰからユーザが操作するＰＣに広告画像を転送し表示させる方法もある（例えば特許文献２）。しかしながら、ユーザがＰＣで作業中に突然広告が表示されてしまうと作業の妨げになるため、ユーザは広告を閲覧せずに直ぐに消去するか又は広告の表示自体を無効に設定する可能性が高いといった問題がある。
【０００５】
そこで、特許文献３には、プリンタを利用して印刷を行う場合、プロパティ画面又は印刷実行中のプロパティ画面に広告を表示する技術が開示されている。
【発明の概要】
【発明が解決しようとする課題】
【０００６】
しかしながら、特許文献１に記載の技術では、ユーザの作業を妨げることなく広告画像を表示させることができるが、プリンタを利用するユーザに対して、単に無作為に広告コンテンツを配信するだけであるため、広告主のターゲットとする所望のユーザに広告コンテンツを提供できず、効果的に広告ができるとはいえないといった問題がある。
【０００７】
そこで、本発明は、上記の点に鑑みてなされたものであって、画像処理装置を使用するユーザの作業を妨げることなく、ユーザに対して効果的な広告を提供することを目的とする。
【課題を解決するための手段】
【０００８】
そこで上記課題を解決するため、画像データ提供システムは、画像処理装置が有する機能の実行を指示するためにユーザにより操作されるクライアント端末と、前記画像処理装置を介してユーザに提供される所定の画像データを管理する一以上の装置から構成される管理システムとを有する画像データ提供システムであって、前記管理システムは、前記所定の画像データとユーザの属性情報とを対応付けて管理する管理手段を有し、前記クライアント端末は、前記画像処理装置を介して、当該クライアント端末を操作するユーザの属性情報に基づく、前記管理手段により管理される前記所定の画像データを取得する取得手段と、前記取得手段により取得された前記所定の画像データが含まれた、前記機能の実行条件を設定するための設定画面を生成する生成手段とを有する。
【発明の効果】
【０００９】
本発明の実施の形態によれば、画像処理装置を使用するユーザの作業を妨げることなく、ユーザに対して効果的な広告を提供する。
【図面の簡単な説明】
【００１０】
【図１】本発明の実施形態における広告提供システムのシステム構成の一例を示す図である。
【図２】本発明の実施形態における広告提供システムの動作概要を説明するための図である。
【図３】本発明の実施形態におけるＭＦＰのハードウェア構成の一例を示す図である。
【図４】本発明の実施形態における会員情報管理サーバのハードウェア構成の一例を示す図である。
【図５】本発明の実施形態における広告提供システムの機能構成の一例を示す図である。
【図６】本発明の実施形態におけるプリンタドライバのインストール画面及び会員情報登録画面の一例を示す図である。
【図７】本発明の実施形態におけるＭＦＰの受信広告情報蓄積部に記憶される情報の一例を示す図である。
【図８】本発明の実施形態におけるＭＦＰ情報登録画面の一例を示す図である。
【図９】本発明の実施形態における会員情報管理サーバの会員情報記憶部に記憶される情報の一例を示す図である。
【図１０】本発明の実施形態におけるＭＦＰ管理サーバのＭＦＰ使用履歴記憶部に記憶される情報の一例を示す図である。
【図１１】本発明の実施形態における広告登録画面の一例を示す図である。
【図１２】本発明の実施形態における広告管理サーバの広告情報記憶部に記憶される情報の一例を示す図である。
【図１３】本発明の実施形態における事業者登録画面の一例を示す図である。
【図１４】本発明の実施形態の広告提供システムにおけるＭＦＰへの広告配信の動作手順の一例を示すシーケンス図である。
【図１５】本発明の実施形態の広告提供システムにおけるクライアント端末に広告が表示される動作手順の一例を示すシーケンス図である。
【図１６】本発明の実施形態における印刷設定画面の画面遷移の一例を示す図である。
【図１７】本発明の実施形態の広告提供システムにおけるクライアント端末に広告（アンケート）が表示される動作手順の一例を示すシーケンス図である。
【図１８】本発明の実施形態の広告提供システムにおけるクライアント端末に広告（通販サイト）が表示される動作手順の一例を示すシーケンス図である。
【図１９】本発明の実施形態におけるアンケートサイト、通販サイト画面の一例を示す図である。
【図２０】本発明の実施形態におけるプリンタドライバの処理手順の一例を示すフローチャート図である。
【発明を実施するための形態】
【００１１】
以下、本発明の実施の形態（以下、「実施形態」という。）を図面に基づいて説明する。
【００１２】
[システム構成]
図１は、本発明の実施形態における広告提供システム１のシステム構成の一例を示す図である。図１に示されるように、広告提供システム１は、ＭＦＰ１０ａ、１０ｂ、・・・１０ｎ（それぞれを区別しない場合「ＭＦＰ１０」という。）と、クライアント端末２０と、広告管理システム２に含まれる会員情報管理サーバ３０、ＭＦＰ管理サーバ４０、広告管理サーバ５０及び事業者情報管理サーバ６０と、事業者端末７０と、事業者管理サーバ８０とを有する。
【００１３】
ＭＦＰ１０とクライアント端末２０とは、ＬＡＮ（Local Area Network）等のネットワークＮ１を介して接続されている。ＭＦＰ１０とクライアント端末２０とは、広告提供システム１によって広告の提供を受けるユーザ（会員）により使用される。ＭＦＰ１０とクライアント端末２０とは、例えばサテライトオフィス（テレワークオフィスともいう。）内に設置されている。
【００１４】
広告管理システム２に含まれる会員情報管理サーバ３０、ＭＦＰ管理サーバ４０、広告管理サーバ５０及び事業者情報管理サーバ６０は、それぞれＬＡＮ等のネットワークＮ２に接続されている。
【００１５】
事業者端末７０及び事業者管理サーバ８０は、それぞれＬＡＮ等のネットワークＮ３に接続されている。事業者端末７０及び事業者管理サーバ８０は、広告提供システム１により広告の提供を行う広告提供元の事業者により使用される。
【００１６】
ネットワークＮ１とネットワークＮ２とネットワークＮ３とは、それぞれインターネット等のネットワークＮ４を介して相互に通信可能である。
【００１７】
ＭＦＰ１０は、電子機器の一例であって、印刷、スキャン、コピー及びファクシミリ等の機能のうち、少なくとも印刷機能を含む一以上の機能を一台の筐体によって実現する画像処理装置である。また、本発明の実施形態におけるＭＦＰ１０は、ユーザ（クライアント端末２０）に提供するための広告に関するデータが蓄積されている。なお、本発明の実施形態における広告には、事業者が提供する商品やサービス等の広告に関するコンテンツに限らず、例えばユーザに回答させるアンケートやユーザが通信販売を行うための通信販売（通販）サイトに関するコンテンツも含まれる。
【００１８】
クライアント端末２０は、例えばユーザに使用されるＰＣ（Personal Computer）やタブレット、スマートフォン等の情報処理端末である。クライアント端末２０には、ＭＦＰ１０を用いて印刷を行うためのプリンタドライバがインストールされる。
【００１９】
次に広告管理システム２に含まれる各装置について説明する。
【００２０】
会員情報管理サーバ３０は、ユーザ識別情報（会員ＩＤ）、ユーザ名及びパスワード等のユーザ情報並びにユーザの属性情報を記憶するコンピュータである。なお、会員情報管理サーバ３０は、ＮＡＳ（Network  Attached  Storage）等のネットワークに接続されたストレージ（ファイルサーバ）であってもよい。
【００２１】
ＭＦＰ管理サーバ４０は、ＭＦＰ１０の設置場所等に関する情報やＭＦＰ１０を使用等したユーザの使用履歴に関する履歴情報等を記憶するコンピュータである。ＭＦＰ管理サーバ４０は、ＮＡＳ等により構築されてもよい。
【００２２】
広告管理サーバ５０は、ユーザに提供する広告等のデジタルコンテンツである広告に関する情報（広告情報）を記憶するコンピュータである。広告管理サーバ５０は、ＮＡＳ等により構築されてもよい。
【００２３】
事業者情報管理サーバ６０は、広告を提供する事業者及び事業者に対する課金情報を管理するコンピュータである。事業者情報管理サーバ６０は、ＮＡＳ等により構築されてもよい。
【００２４】
なお、広告管理システム２に含まれる、会員情報管理サーバ３０、ＭＦＰ管理サーバ４０、広告管理サーバ５０及び事業者情報管理サーバ６０は、それぞれの装置が備える機能を一台の装置に集約させるような構成としてもよいし、一以上の装置に各機能を分散させるような構成としてもよい。
【００２５】
次に広告の提供元である事業者が使用する装置を説明する。
【００２６】
事業者端末７０は、事業者が使用するＰＣ等の情報処理端末である。事業者は、事業者端末７０を操作し、提供する広告に関するデータを広告管理サーバ５０に登録する。
【００２７】
事業者管理サーバ８０は、事業者が管理する情報処理装置である。事業者管理サーバ８０には、広告、アンケート又は通販サイトに関する画面データが記憶されており、クライアント端末２０のＷｅｂブラウザからの要求に基づき画面データを提供する。
【００２８】
[システム動作概要]
次に、本発明の実施形態における広告提供システム１の動作概要について図２を参照し説明する。図２は、本発明の実施形態における広告提供システム１の動作概要を説明するための図である。
【００２９】
図２に示すように、まず本発明の実施形態における広告提供システム１を利用するため、広告管理システム２に事前情報登録を行う（Ｓ１）。
【００３０】
ここで、広告提供システム１により広告の提供を受けるユーザは、広告提供システム１を利用するための会員情報登録を行う。会員情報登録は、クライアント端末２０にプリンタドライバがインストールされる時に行われ、ユーザにより入力された会員情報は、会員情報管理サーバ３０に記憶される。
【００３１】
また、広告提供システム１により広告を提供する事業者は、事業者端末７０を操作し、広告提供システム１を利用して広告を配信するための事業者情報登録を行う。事業者により入力された事業者情報は、事業者端末７０を介して事業者情報管理サーバ６０に記憶される。
【００３２】
また、広告提供システム１の管理者等は、管理者等が所有する任意のＰＣ等を用いてＭＦＰ１０の設置場所等に関するＭＦＰ情報登録を、ＭＦＰ管理サーバ４０に対して行う。
【００３３】
次に、事業者は、事業者端末７０を操作し、配信する広告、アンケート又は通販サイトに関する広告情報を広告管理サーバ５０に登録する（Ｓ２）。広告情報の登録後、広告管理サーバ５０からＭＦＰ１０に広告情報が配信され、ＭＦＰ１０は配信された広告情報を蓄積する。
【００３４】
そして、ユーザは、クライアント端末２０においてＭＦＰ１０を用いて印刷処理を行うためのプリンタドライバを起動する（Ｓ３）と、プリンタドライバはＭＦＰ１０からＭＦＰ１０に蓄積されている広告情報に含まれる所定の画像データであるバナーデータを取得する。なお、本発明の実施形態における所定の画像データ（バナーデータ）は、静止画に限らず動画であってもよい。次いで、プリンタドライバは、図２に示すように、プリンタドライバの印刷設定画面９００（プロパティ画面ともいう。）の中のバナー表示領域９０１に、取得した広告バナー等を表示させる（Ｓ４）。なお、各種バナー（広告バナー、アンケートバナー、通販サイトバナー）には、広告、アンケート、通販サイトに関する画面に接続するための所定のリンク情報であるＵＲＬ（Uniform Resource Locator）が含まれており、バナーがクリックされると、クライアント端末２０はＷｅｂブラウザを介してバナーに含まれているＵＲＬに接続する。なお、本発明の実施形態における印刷設定画面９００は、ＭＦＰ１０が有する機能を実行するときの条件（実行条件）を設定する画面の一例である。
【００３５】
このように、本発明の実施形態における広告提供システム１は、クライアント端末２０において起動されたプリンタドライバの印刷設定画面に、広告バナーを表示させることができる。
【００３６】
［ハードウェア構成］
＜ＭＦＰ＞
図３は、本発明の実施形態におけるＭＦＰ１０のハードウェア構成の一例を示す図である。
【００３７】
ＭＦＰ１０は、コントローラ１００と、操作パネル１１と、記憶メディアＩ／Ｆ１２０と、データ通信Ｉ／Ｆ１３０と、ＨＤＤ（Hard  Disk  Drive）１４０と、ＵＳＢ  Ｉ／Ｆ１５０と、スキャナ１６０と、プロッタ１７０とを有し、それぞれＰＣＩバス１８０で相互に接続されている。
【００３８】
コントローラ１００は、ＲＯＭ１０１、ＲＡＭ１０２及びＣＰＵ１０３を有しており、ＲＯＭ１０１は、ＭＦＰ１０が起動されるときに実行されるプログラムや各種データを格納している。また、ＲＡＭ１０２は、ＲＯＭ１０１やＨＤＤ１４０から読み出された各種プログラムやデータを一時保持する。
【００３９】
操作パネル１１は、入力装置１１１と表示装置１１２とを有しており、入力装置１１１は、ハードウェアキー等で構成され、ＭＦＰ１０に各操作信号を入力するのに用いられる。また、表示装置１１２は、ディスプレイ等で構成され、例えば画像形成動作に関する各種情報を表示する。
【００４０】
記憶メディアＩ／Ｆ１２０は、ドライブ装置１２１を有しており、ドライブ装置１２１に記録媒体１２２がセットされると、記録媒体１２２に記録される各種データがドライブ装置１２１を介してＨＤＤ１４０に格納される。
【００４１】
データ通信Ｉ／Ｆ１３０は、インタフェース装置１３１を有しており、ＭＦＰ１０をネットワークＮ１等のデータ伝送路に接続するインタフェースである。
【００４２】
ＨＤＤ１４０は、ＭＦＰ１０で取り扱われる受信文書データや読み取り画像データ等の各種データを格納している。また、ＨＤＤ１４０は、これらの各種データを、所定のファイルシステムやＤＢ（Data  Base）により管理している。ＨＤＤ１４０に格納される各種データの中には、例えば、スマートフォンやデジタルカメラ等の外部機器によって記録された電子データも含まれる。このような場合には、ＳＤカード等の記録媒体１２２によってＭＦＰ１０に提供されたり、データ伝送路であるネットワーク等を通じてアップロードされたりする。
【００４３】
ＵＳＢ  Ｉ／Ｆ１５０は、ＵＳＢ（Universal  Serial  Bus）ホスト１５１を有しており、ＵＳＢホスト１５１は、ＵＳＢケーブルを介して、各種装置と接続する。ＵＳＢホスト１５１は、各種装置と通信するための物理的・電気的Ｉ／Ｆを制御する機能及びＵＳＢプロトコルを制御する機能を有する。
【００４４】
スキャナ１６０は、画像読取装置１６１を有しており、読み取り面に配置された原稿を光学的に読み取り画像データを生成する。
【００４５】
プロッタ１７０は、印刷装置１７１を有しており、例えば、電子写真プロセス方式によってビットマップイメージを記録紙に印刷する。
【００４６】
このように、本発明の実施形態におけるＭＦＰ１０では、上記ハードウェア構成により、コピー、プリンタ、ファクシミリ、スキャナ等の複数の機能、情報検索機能及び通信機能等を実現している。
【００４７】
＜会員情報管理サーバ＞
図４は、本発明の実施形態における会員情報管理サーバ３０のハードウェア構成の一例を示す図である。
【００４８】
会員情報管理サーバ３０は、会員情報管理サーバ３０の全体の動作を制御するＣＰＵ３０１、ＩＰＬ（Initial  Program  Loader）等のＣＰＵ３０１の駆動に用いられるプログラムを記憶したＲＯＭ３０２、ＣＰＵ３０１のワークエリアとして使用されるＲＡＭ３０３、管理端末用のプログラム等の各種データ等を記憶するＨＤ３０４、ＣＰＵ３０１の制御にしたがってＨＤ３０４に対する各種データの読み出し又は書き込みを制御するＨＤＤ３０５、フラッシュメモリ等の記録メディア３０６に対するデータの読み出し又は書き込み（記憶）を制御するメディアドライブ３０７、カーソル、メニュー、ウィンドウ、文字又は画像等の各種情報を表示するディスプレイ３０８、ネットワーク９９を利用してデータ通信するためのネットワークＩ／Ｆ３０９、文字、数値、各種指示等の入力のための複数のキーを備えたキーボード３１０、各種指示の選択や実行、処理対象の選択、カーソルの移動等を行うマウス３１１、着脱可能な記録媒体の一例としてのＣＤ−ＲＯＭ３１３に対する各種データの読み出し又は書き込みを制御するＣＤ−ＲＯＭドライブ３１２、外部機器を接続するための外部機器Ｉ／Ｆ３１４並びに上記各構成要素を電気的に接続するためのアドレスバスやデータバス等のバスライン３１５を備えている。
【００４９】
このように、本発明の実施形態における会員情報管理サーバ３０では、上記ハードウェア構成により、ＭＦＰ１０との通信機能及び情報記憶機能等を実現している。
【００５０】
なお、クライアント端末２０、ＭＦＰ管理サーバ４０、広告管理サーバ５０、事業者情報管理サーバ６０、事業者端末７０及び事業者管理サーバ８０は、会員情報管理サーバ３０と同様のハードウェア構成を有していればよい。
【００５１】
［機能構成］
図５は、本発明の実施形態における広告提供システム１の機能構成の一例を示す図である。
【００５２】
＜クライアント端末＞
クライアント端末２０は、プリンタドライバ２１、Ｗｅｂブラウザ２２、表示制御部２３、入力受付部２４及び印刷設定画面情報記憶部２５等を有する。また、プリンタドライバ２１の機能には、印刷設定画面生成部２１１、バナーデータ取得部２１２、広告表示完了通知部２１３、印刷データ生成部２１４及び印刷実行要求部２１５が含まれる。また、Ｗｅｂブラウザ２２の機能には、Ｗｅｂ  ＵＩ部２２１が含まれる。各機能はＣＰＵがプログラムを実行し、ハードウェアと協働することで実現される。
【００５３】
まずプリンタドライバ２１の機能について説明する。
【００５４】
印刷設定画面生成部２１１は、プリンタドライバ２１の起動後に表示されるバナー表示領域９０１を含む印刷設定画面９００（図２参照）の画面データを生成する。そして、印刷設定画面生成部２１１は、生成した画面データに基づく印刷設定画面９００を表示制御部２３に表示させる。印刷設定画面生成部２１１は、バナーデータ取得部２１２がバナーデータを取得した場合、取得したバナーデータに基づく広告バナー等をバナー表示領域９０１に表示させる。
【００５５】
バナーデータ取得部２１２は、ＭＦＰ１０からバナーデータを取得するためのバナーデータ取得要求を生成し、ＭＦＰ１０に送信し、ＭＦＰ１０からバナーデータを取得する。バナーデータ取得要求には、ユーザを一意に識別するための会員ＩＤが含まれており、会員ＩＤに対応するバナーデータが取得される。なお、バナーデータ取得部２１２が取得するバナーデータは一つに限らず、複数存在する場合もある。
【００５６】
広告表示完了通知部２１３は、バナーデータに関連付けられている広告サイト等のＵＲＬに基づく画面がＷｅｂブラウザ２２に表示された場合、広告が表示されたことを示す広告表示完了通知をＭＦＰ１０に送信する。
【００５７】
印刷データ生成部２１４は、ＰＤＬ（Page Description Language）形式の印刷データを生成する。
【００５８】
印刷実行要求部２１５は、印刷データ生成部２１４により生成された印刷データを含む印刷実行要求をＭＦＰ１０に送信し、ＭＦＰ１０に印刷処理の実行を要求する。
【００５９】
なお、プリンタドライバ２１は、図６に示されるような手順でクライアント端末２０にインストールされ、インストールの完了後、Ｗｅｂページである会員情報登録画面が表示される。ユーザは、会員情報登録画面に基づき、会員情報の登録の入力操作を行い、入力された会員情報は、会員情報管理サーバ３０に登録される。図６は、本発明の実施形態におけるプリンタドライバ２１のインストール画面及び会員情報登録画面の一例を示す図である。なお、会員登録完了後、プリンタドライバ２１のインストーラは、プリンタドライバ２１の起動時に参照されるドライバ初期情報として「会員ＩＤ」及び「パスワード」を印刷設定画面情報記憶部２５に記憶する。なお、プリンタドライバ２１のインストーラは、例えば会員情報管理サーバ３０やＭＦＰ１０の製造元のＷｅｂサイトからダウンロードすればよい。
【００６０】
次にＷｅｂブラウザ２２の機能について説明する。
【００６１】
Ｗｅｂブラウザ２２は、Ｗｅｂページを閲覧するためのアプリケーションソフトであり、本発明の実施形態において一般的なＷｅｂブラウザが用いられればよい。
【００６２】
Ｗｅｂブラウザ２２に含まれるＷｅｂ  ＵＩ部２２１は、インターネット等からＨＴＭＬや画像ファイル等を取得し、レイアウトを解析して表示、再生する。本発明の実施形態では、Ｗｅｂ  ＵＩ部２２１は、事業者管理サーバ８０から広告、アンケート又は通販サイトに関するＨＴＭＬ形式の画面データの取得し、取得した画面データに基づく画面を表示する。
【００６３】
表示制御部２３は、ディスプレイ等の表示装置を制御し、ユーザに対する情報を表示出力する。
【００６４】
入力受付部２４は、キーボードやマウス、タッチパネル等の入力装置を制御し、ユーザから入力された情報を受け付ける。
【００６５】
印刷設定画面情報記憶部２５は、記憶装置を用いて、印刷設定画面９００の画面データを記憶する。
【００６６】
＜ＭＦＰ＞
ＭＦＰ１０は、広告情報受信部１１、バナーデータ検索部１２、広告表示状況通知部１３、印刷実行部１４、受信広告情報蓄積部１５及びＭＦＰ情報記憶部１６等を有する。各機能はＣＰＵ１０３がプログラムを実行し、ハードウェアと協働することで実現される。
【００６７】
広告情報受信部１１は、広告管理サーバ５０から配信される、広告ＩＤ、広告名、会員ＩＤ、広告配信期間、広告種別、サイトＵＲＬ、バナーデータ及び広告データを含む広告情報を受信し、受信広告情報蓄積部１５に記憶する。
【００６８】
受信広告情報蓄積部１５は、ＨＤＤ等を用いて、図７に示されるように、広告情報受信部１１により受信された広告情報を蓄積する。図７は、本発明の実施形態における受信広告情報蓄積部１５に記憶される情報の一例を示す図である。図７に示されるように、受信広告情報蓄積部１５には、広告を識別する番号である「広告ＩＤ」、広告の名称である「広告名」、広告を行うターゲットの会員（ユーザ）の「会員ＩＤ」、事業者に設定された広告の配信期間である「広告配信期間」、「広告種別」、「サイトＵＲＬ」、「バナーデータ」及び「広告データ」等が記憶される。
【００６９】
バナーデータ検索部１２は、クライアント端末２０から送信された会員ＩＤを含むバナーデータ取得要求に基づき、受信広告情報蓄積部１５からその会員ＩＤに対応するバナーデータを検索する。そして、バナーデータ検索部１２は、検索したバナーデータをクライアント端末２０に送信する。また、バナーデータ検索部１２は、クライアント端末２０にバナーデータを送信したことを、広告表示状況通知部１３に通知する。
【００７０】
広告表示状況通知部１３は、広告管理サーバ５０に対して、クライアント端末２０における広告又はバナーの表示状況を通知する。具体的には、広告表示状況通知部１３は、ＭＦＰ１０がクライアント端末２０にバナーデータを送信した場合、このバナーデータに対応する広告の「予約」を示す情報を広告管理サーバ５０に送信する。また、広告表示状況通知部１３は、クライアント端末２０のＷｅｂブラウザ２２において広告等の画面が表示された場合、この広告の「表示完了」を示す情報を広告管理サーバ５０に送信する。
【００７１】
印刷実行部１４は、クライアント端末２０から送信された印刷データに基づき印刷処理を実行する。
【００７２】
ＭＦＰ情報記憶部１６は、ＨＤＤ１４０又はＲＯＭ１０１等の不揮発性メモリ等を用いて、ＭＰＦ１０を識別するＭＦＰ識別番号及びＭＦＰ１０の設置場所等を示すＭＦＰ情報を記憶する。ＭＦＰ識別番号は、ＭＦＰ１０を一意に識別する識別番号であり、一意であれば任意の数字、文字、記号又はこれらの組み合わせにより構成されればよい。ＭＦＰ１０の設置場所を示す情報とは、都道府県を示す「県コード」及び市町村を示す「市コード」を含む「地域コード」と、「環境コード」とを有する。「環境コード」は、ＭＦＰ１０が設置された場所の属性を示す情報であり、例えば「テレワークオフィス」や「コンビニエンスストア」等である。なお、ＭＦＰ情報記憶部１６に記憶されるＭＦＰ情報は、例えば図８に示されるように、ＭＦＰ１０の操作パネル１１０に表示されるＭＦＰ情報登録画面に基づき入力される。図８は、本発明の実施形態におけるＭＦＰ情報登録画面の一例を示す図である。広告提供システム１の管理者等は、図８に示される、ＭＦＰ１０の操作パネルを操作し、ＭＦＰ情報登録画面に基づき、ＭＦＰ１０の設置場所に関する情報を入力する。なお、ＭＦＰ情報は、ＭＦＰ１０の操作パネル１１０を介して入力する場合に限らず、例えば、ＭＦＰ管理サーバ４０等から遠隔でＭＦＰ１０に対してＭＦＰ情報を登録できるようにしてもよい。
【００７３】
＜会員情報管理サーバ＞
会員情報管理サーバ３０は、会員情報管理部３１及び会員情報記憶部３２等を有する。
【００７４】
会員情報記憶部３２は、図９に示されるように、ユーザ（会員）に関する会員情報を記憶する。図９は、本発明の実施形態における会員情報記憶部３２に記憶される情報の一例を示す図である。図８に示されるように、会員情報記憶部３２は、「会員ＩＤ」、「パスワード」、「ユーザ名」及び「ユーザ属性情報」等のデータ項目を有する。「会員ＩＤ」は、ユーザ（会員）を一意に識別するユーザ識別情報である。「パスワード」及び「ユーザ名」は、ユーザ情報である。なお、「パスワード」及び「ユーザ名」の項目は任意であってもよい。「ユーザ属性情報」は、「年齢」や「性別」、「趣味」等のユーザの属性情報である。なお、会員情報記憶部３２に記憶される情報は、例えば図６に示した会員情報登録画面のＷｅｂページを介して入力される。
【００７５】
会員情報管理部３１は、会員情報記憶部３２を管理し、会員情報記憶部３２から情報を読み出したり、会員情報記憶部３２に対して情報を書き込んだりする。
【００７６】
＜ＭＦＰ管理サーバ＞
ＭＦＰ管理サーバ４０は、ＭＦＰ使用履歴管理部４１及びＭＦＰ使用履歴記憶部４２等を有する。
【００７７】
ＭＦＰ使用履歴管理部４１は、ユーザによるＭＦＰ１０の使用履歴に関する情報を、ＭＦＰ使用履歴記憶部４２を用いて管理する。
【００７８】
ＭＦＰ使用履歴記憶部４２は、図１０に示されるように、ユーザによるＭＦＰ１０の使用履歴を記憶する。図１０は、本発明の実施形態におけるＭＦＰ使用履歴記憶部４２に記憶される情報の一例を示す図である。図１０に示されるように、ＭＦＰ使用履歴記憶部４２は、各履歴を識別する情報である「履歴ＩＤ」、「会員ＩＤ」、「使用時刻」、「使用コード」、「ＭＦＰ情報」及び「ユーザ属性情報」等のデータ項目を有する。「会員ＩＤ」は、ＭＦＰ１０を使用したユーザの会員ＩＤである。「使用時刻」は、ＭＦＰが使用等された時刻である。「使用コード」は、ＭＦＰ１０の使用形態を示す情報であり、使用形態に応じて、例えば「使用コード１：コピー」、「使用コード２：印刷」、「使用コード３：ＦＡＸ」、のように設定される。「ＭＦＰ情報」は、使用されたＭＦＰ１０の設置場所に関するＭＦＰ情報である。「ユーザ属性情報」は、ユーザ（会員）のユーザ属性情報である。
【００７９】
＜広告管理サーバ＞
広告管理サーバ５０は、広告登録受付部５１、広告情報配信部５２、広告表示状況管理部５３及び広告情報記憶部５４等を有する。
【００８０】
広告登録受付部５１は、例えば事業者端末７０から図１１に示すような広告登録画面のＷｅｂページを介して広告の登録を受け付ける。図１１は、本発明の実施形態における広告登録画面の一例を示す図である。事業者が事業者端末７０のＷｅｂブラウザから広告登録画面のＵＲＬを入力すると、広告登録受付部５１は図１１に示すような広告登録画面を表示させる。そして、事業者は、広告登録画面において事業者を一意に識別する事業者番号、事業者パスワード、広告期間、広告サイトが表示される回数の上限である表示回数、広告サイトのＵＲＬ、広告の種別（広告、アンケート、通信販売のいずれか）、例えばＪＰＥＧ形式のバナーデータ及び例えばＨＴＭＬ形式の広告データを設定する。各項目の設定が完了した後「次へ」ボタンが押下されると、広告配信のターゲットとなるターゲット顧客属性情報を入力する画面に遷移する。入力後、「登録」ボタンを押下すると、広告登録受付部５１は、登録された広告に対して、広告を識別する広告ＩＤを割り当て、広告情報記憶部５４に記憶する。
【００８１】
広告情報記憶部５４は、図１２に示されるように、登録された広告に関する各種情報を記憶する。図１２は、本発明の実施形態における広告管理サーバ５０の広告情報記憶部５４に記憶される情報の一例を示す図である。図１２に示されるように、広告情報記憶部５４は、「広告ＩＤ」、「広告名」、「事業者番号」、「広告配信期間」、「広告種別」、「サイトＵＲＬ」、「バナーデータ」、「広告データ」、「表示上限回数」、「表示回数」、「予約回数」及び「ターゲット顧客属性情報」等のデータ項目を有する。「広告ＩＤ」は、広告を一意に識別する識別情報である。「広告名」は、広告の名称であり、事業者により任意に設定される。「事業者番号」は広告を投稿した事業者を識別する識別番号である。「広告配信期間」は、広告を配信する期間である。「広告種別」は、広告、アンケート又は通信販売のいずれかの種別が設定される。但し、「広告種別」に設定される値は、広告、アンケート又は通信販売に限らず他の値が設定されてもよい。「サイトＵＲＬ」は、広告、アンケート又は通信販売サイトのＵＲＬである。「バナーデータ」は、広告のバナーデータであり、例えばＪＰＥＧ（Joint Photographic Experts Group）形式のデータである。「バナーデータ」が印刷設定画面９００内に表示される。「広告データ」は、例えば広告のＨＴＭＬ形式のデータである。「表示上限回数」は、クライアント端末２０において広告が表示される回数の上限値である。「表示上限回数」は、例えば、事業者からの課金額に基づき決定される。「表示回数」は、クライアント端末２０において実際に広告サイトが表示された回数である。「予約回数」は、広告サイトが表示されていないが、表示処理が実行される前のＭＦＰ１０からの予約要求が行われた回数であり、予約中の回数である。「ターゲット顧客属性情報」は、事業者により入力された広告の配信対象とする顧客の属性に関する情報である。
【００８２】
広告情報配信部５２は、広告情報記憶部５４に記憶されるターゲット顧客属性情報とＭＦＰ使用履歴記憶部４２に記憶されるユーザ属性情報とを比較して、属性情報が所定の数以上一致したユーザ（会員ＩＤ）が使用したＭＦＰ１０に対して、そのユーザの会員ＩＤとともに広告情報を配信する。
【００８３】
広告表示状況管理部５３は、広告情報記憶部５４に含まれる「表示回数」及び「予約回数」の更新を行う。
【００８４】
＜事業者情報管理サーバ＞
事業者情報管理サーバ６０は、事業者情報管理部６１及び事業者情報記憶部６２等を有する。
【００８５】
事業者情報管理部６１は、広告提供システム１を利用する、すなわち広告を登録し、広告を配信するための事業者として必要な情報を、事業者情報記憶部６２を用いて管理する。
【００８６】
事業者情報記憶部６２に記憶される情報は、例えば事業者名と広告配信の支払いを行うクレジットカード番号、事業者番号及び事業者パスワード等である。事業者は、事業者端末７０等のＷｅｂブラウザから事業者登録画面ＵＲＬにより図１３に示されるような事業者登録画面を表示し、事業者名等を入力する。なお、本発明の実施形態において事業者登録の処理は、予め行われている。
【００８７】
＜事業者端末＞
事業者端末７０は、広告登録要求部７１及び入力受付部７２等を有する。
【００８８】
広告登録要求部７１は、事業者により図１１に示した広告登録画面に基づき入力された配信される広告に関する情報の登録を広告管理サーバ５０に対して要求する。
【００８９】
入力受付部７２は、キーボードやマウス、タッチパネル等の入力装置を制御し、ユーザから入力された情報を受け付ける。
【００９０】
＜事業者管理サーバ＞
事業者管理サーバ８０は、画面データ送信部８１、広告データ記憶部８２、アンケートデータ記憶部８３及び通販サイトデータ記憶部８４等を有する。
【００９１】
広告データ記憶部８２、アンケートデータ記憶部８３、通販サイトデータ記憶部８４は、それぞれ広告、アンケート、通販サイトに関するＨＴＭＬ形式の画面データを記憶する。
【００９２】
画面データ送信部８１は、クライアント端末２０からの要求に基づき、広告データ記憶部８２、アンケートデータ記憶部８３及び通販サイトデータ記憶部８４に記憶される画面データを、クライアント端末２０に送信する。
【００９３】
［処理の詳細］
次に、本発明の実施形態の広告提供システム１の処理を説明する。広告提供システム１の処理は、（１）ＭＦＰ１０への広告配信処理、（２）プリンタドライバ２１による印刷設定画面９００への広告表示処理に大別され、各処理について説明する。
【００９４】
（１）ＭＦＰ１０への広告配信処理
図１４は、本発明の実施形態の広告提供システムにおけるＭＦＰへの広告配信の動作手順の一例を示すシーケンス図である。なお、図１４の例の初期状態において、予め事業者は、事業者登録画面（図１３参照）に基づき事業者登録を完了している。
【００９５】
まず、事業者端末７０において広告登録画面のＷｅｂページ（図１１参照）が表示されている（Ｓ１０１）。
【００９６】
事業者は、広告登録画面に基づき、登録する広告データやバナーデータの選択、所定の情報の入力を行う（Ｓ１０２）。
【００９７】
事業者端末７０の広告登録要求部７１は、入力された広告に関する情報を含む広告情報登録要求を広告管理サーバ５０に送信する（Ｓ１０３）。
【００９８】
広告管理サーバ５０の広告登録受付部５１が広告登録画面に基づく事業者からの広告投稿の操作を受け付けると、広告情報記憶部５４に投稿された広告に関する情報を登録する（Ｓ１０４）。
【００９９】
広告管理サーバ５０の広告情報配信部５２は、所定の周期（例えば１分周期）で広告情報記憶部５４を参照し、新規の広告情報が追加されている場合、ＭＦＰ管理サーバ４０に対して、登録受付部５１が広告登録画面に基づく事業者端末７０からの広告登録の操作を受け付けると、広告情報記憶部５４に登録された広告に関する情報を記憶する（Ｓ１０４）。
【０１００】
次に、広告情報配信部５２は、所定の周期（例えば１分周期）で広告情報記憶部５４を参照し、新規の広告情報が追加されている場合、その新規の広告情報のターゲット顧客属性情報を読み出す。なお、広告情報配信部５２は、所定の周期で広告情報記憶部５４を確認するのではなく、広告情報が新たに追加される時に広告登録受付部５１からの通知を受け付けたときに確認するようにしてもよい。そして、広告情報配信部５２は、ターゲット顧客属性情報を含む履歴情報検索要求を生成し、生成した履歴情報検索要求を、ＭＦＰ管理サーバ４０に送信する（Ｓ１０５）。
【０１０１】
ＭＦＰ管理サーバ４０のＭＦＰ使用履歴管理部４１が、履歴情報検索要求を受信すると、ＭＦＰ使用履歴記憶部４２（図１０参照）を参照し、履歴情報検索要求に含まれるターゲット顧客属性情報に適合するユーザ属性情報及びＭＦＰ情報（環境コード、地域コード）に対応するユーザ（会員ＩＤ）を特定する。なお、広告対象顧客属性情報に適合するか否かは、例えばＭＦＰ使用履歴管理部４１に含まれるユーザ属性情報及びＭＦＰ情報のうち所定数以上の項目が一致した場合、適合すると判定する。ＭＦＰ使用履歴管理部４１は、適合判定処理により、広告を配信するＭＦＰ１０のＭＦＰ識別番号及び会員ＩＤを取得する（Ｓ１０６）。そして、ＭＦＰ使用履歴管理部４１は、取得したＭＦＰ番号及び会員ＩＤを、履歴情報検索要求の応答として、広告管理サーバ５０に送信する（Ｓ１０７）。
【０１０２】
広告管理サーバ５０の広告情報配信部５２は、ＭＦＰ管理サーバ４０から送信されたＭＦＰ識別番号に対応するＭＦＰ１０に対して、ＭＦＰ管理サーバ４０から取得した会員ＩＤと、ステップＳ１０４で登録された広告の広告ＩＤ、広告名、広告配信期間、広告種別、サイトＵＲＬ、バナーデータ及び広告データとを含む広告情報を送信する（Ｓ１０８）。なお、広告情報配信部５２は、広告情報記憶部５１を参照し、表示回数が少なかったり、表示回数率（表示回数÷表示上限回数）が低かったりする広告をクライアント端末２０に優先的に表示させるように優先表示フラグを広告情報とともに送信するようにしてもよい。
【０１０３】
ＭＦＰ１０の広告情報受信部１１が、ＭＦＰ管理サーバ４０から送信された広告情報を受信すると、受信広告情報蓄積部１５（図７参照）に受信した広告情報を記憶する（Ｓ１０９）。
【０１０４】
上述した動作手順に基づき、広告提供システム１は、事業者により登録された広告を、広告がターゲットする顧客の属性と、ＭＦＰ１０を過去に使用した履歴（ユーザ属性情報）とに基づき特定されたＭＦＰ１０に、登録された広告の広告情報を蓄積させる。これにより、ＭＦＰ１０は、広告とこの広告の配信対象となるユーザ（会員）とを対応付けた情報を記憶する。
【０１０５】
このように、広告の提供元である事業者が対象としたユーザ属性のユーザが使用したＭＦＰ１０に対して、広告情報を送信することで、効率的かつ効果的にターゲットのユーザに広告を配信できる。また、ＭＦＰ１０と広告管理サーバ５０とを接続するネットワークの負荷を軽減できる。
【０１０６】
（２）クライアント端末２０における広告表示処理
次に、図１５を参照して、クライアント端末２０に広告を表示させる処理について説明する。図１５は、本発明の実施形態の広告提供システム１におけるクライアント端末２０に広告が表示される動作手順の一例を示すシーケンス図である。なお、図１５の初期状態では、クライアント端末２０にプリンタドライバ２１が予めインストールされている状態である。また、図１５におけるユーザとは、広告提供システム１の会員登録が完了している会員である。したがって、プリンタドライバ２１のドライバ初期情報には、ユーザの会員ＩＤが予め記憶されている。なお、図１５の説明において、図１６に示す広告表示画面例を適宜参照する。
【０１０７】
まずユーザは、クライアント端末２０のキーボードやマウス等を操作し、プリンタドライバ２１の起動操作を行う（Ｓ２０１）。プリンタドライバ２１の起動操作とは、例えば文書データや画像データの表示、編集等を実行するアプリケーションの印刷ボタンの選択等である。ステップＳ２０１の操作により、プリンタドライバ２１が起動され、印刷設定画面情報記憶部２５に記憶されるドライバ初期情報に基づき、印刷設定画面９００が表示される。なお、ここで表示される印刷設定画面９００のバナー表示領域９０１は空欄の状態である。
【０１０８】
次に、プリンタドライバ２１のバナーデータ取得部２１２は、ドライバ初期情報に含まれるユーザの会員ＩＤを含むバナーデータ取得要求を生成し、印刷先のＭＦＰ１０に対してバナーデータ取得要求を送信する（Ｓ２０３）。
【０１０９】
ＭＦＰ１０のバナーデータ検索部１２がバナーデータ取得要求を受け付けると、受信広告情報蓄積部１５からバナーデータ取得要求に含まれる会員ＩＤに対応するバナーデータ、広告ＩＤ及びサイトＵＲＬを検索する（Ｓ２０４）。そして、バナーデータ検索部１２は、検索の結果得られたバナーデータ、広告ＩＤ及びサイトＵＲＬを、クライアント端末２０に送信する（Ｓ２０５）。また、ＭＦＰ１０の広告表示状況通知部１３は、検索されたバナーデータに対応する広告の広告ＩＤを含む予約要求を広告管理サーバ５０に対して行う（Ｓ２０６）。
【０１１０】
広告管理サーバ５０の広告表示状況管理部５３は、広告情報記憶部５４において、予約要求に含まれる広告ＩＤに対応する予約回数を１カウントアップし、予約状態にする。
【０１１１】
一方、クライアント端末２０（プリンタドライバ２１）のバナーデータ取得部２１２がステップＳ２０５においてＭＦＰ１０から送信されたバナーデータ、広告ＩＤ及びサイトＵＲＬを受信すると、印刷設定画面生成部２１１に受信したバナーデータ、広告ＩＤ及びサイトＵＲＬを出力する。印刷設定画面生成部２１１は、図１６（ａ）に示すような印刷設定画面９００内のバナー表示領域９０１に受信した広告バナーが挿入された画面を生成し、表示させる（Ｓ２０８）。ここで、受信したバナーデータが複数ある場合は、例えば任意のバナーデータを表示する。なお、図１６（ａ）の印刷設定画面９００に含まれる「一覧」ボタンが押下されると、図１６（ｂ）に示すバナー一覧画面９１０に遷移する。
【０１１２】
ここで、ユーザが印刷設定画面９００のバナー表示領域９０１に表示されているバナー又はバナー一覧画面９１０に含まれるバナー表示領域９１１のうちの任意のバナーをクリックして選択する（Ｓ２０９）と、Ｗｅｂブラウザ２２が起動される（Ｓ２１０）。そして、Ｗｅｂ  ＵＩ部２２１は、選択されたバナーに対応するサイトＵＲＬに対して広告データ取得要求を行う（Ｓ２１１）。なお、サイトＵＲＬは、例えば事業者管理サーバ８０のＵＲＬである。
【０１１３】
事業者管理サーバ８０の画面データ送信部８１は、サイトＵＲＬに基づき、広告、アンケート又は通販サイトのうちいずれかのデータを読み出し、読み出したデータ（広告データ）をクライアント端末２０に送信する（Ｓ２１２）。なお、図１５では、広告データが選択される場合の例を示している。
【０１１４】
クライアント端末２０（Ｗｅｂブラウザ２２）のＷｅｂ  ＵＩ部２２１は、取得した広告データに基づく図１６（ｃ）に示す広告サイトを表示する（Ｓ２１３）。
【０１１５】
その後、広告表示完了通知部２１３は、広告サイトの表示完了を広告ＩＤとともにＭＦＰ１０に通知する（Ｓ２１４）。
【０１１６】
さらに、ＭＦＰ１０の広告表示状況通知部１３は、広告ＩＤを含む表示完了通知を広告管理サーバ５０に送信する（Ｓ２１５）。
【０１１７】
広告管理サーバ５０の広告表示状況管理部５３は、広告情報記憶部５４を参照し、表示完了通知に含まれる広告ＩＤに対応する表示回数を１カウントアップし、予約回数を１カウントダウンする（Ｓ２１６）。
【０１１８】
なお、広告種別が「アンケート」、「通信販売」である場合の広告提供システム１の動作をそれぞれ図１７、図１８に示す。また、図１９には、本発明の実施形態におけるアンケートサイト、通販サイト画面の一例を示している。
【０１１９】
図１７、図１８に示すように、広告種別が「アンケート」、「通信販売」の場合の動作は、広告種別が「広告」の場合の動作を示した図１５のステップＳ２０１〜Ｓ２１１、ステップＳ２１４〜Ｓ２１６と同じである。
【０１２０】
広告種別が「アンケート」の場合、図１７に示すように、ステップＳ２１２ａにおいて、事業者管理サーバ８０の画面データ送信部８１は、サイトＵＲＬに基づき、アンケートのデータを読み出し、読み出したＨＴＭＬ形式のアンケートデータをクライアント端末２０に送信する。
【０１２１】
ステップＳ２１３ａにおいて、クライアント端末２０（Ｗｅｂブラウザ２２）のＷｅｂ  ＵＩ部２２１は、取得したアンケートデータに基づく図１９（ａ）に示すアンケートサイトを表示する。
【０１２２】
ステップＳ２１３ｂにおいて、ユーザがアンケートサイトにおいてアンケート回答の操作を行うと、ステップＳ２１３ｃにおいて、アンケート回答のデータが事業者管理サーバ８０に送信される。
【０１２３】
ステップＳ２１３ｄにおいて、事業者管理サーバ８０がアンケート完了通知をクライアント端末２０に送信すると、ステップＳ２１３ｅにおいて、クライアント端末２０のＷｅｂブラウザ２２は、プリンタドライバ２１から取得したユーザ属性情報を事業者管理サーバ８０に送信する。
【０１２４】
なお、図１８に示す広告種別が「通信販売」の広告提供システム１の動作手順のうちステップＳ２１２ａ２〜Ｓ２１３ｅは、図１７に示したステップＳ２１２ａ〜Ｓ２１３ｅのそれぞれに対応する。
【０１２５】
次に、クライアント端末２０にインストールされているプリンタドライバ２１の処理手順について図２０を参照して説明する。図２０は、本発明の実施形態におけるプリンタドライバ２１の処理手順の一例を示すフローチャート図である。
【０１２６】
ステップＳ３０１において、プリンタドライバ２１が起動されると、印刷設定画面生成部２１１は、印刷設定画面９００を表示させる。この状態では、印刷設定画面９００には、広告等のバナーが表示されていない。
【０１２７】
ステップＳ３０２において、バナーデータ取得部２１２は、ドライバ初期情報に含まれる会員ＩＤを取得する。
【０１２８】
ステップＳ３０３において、バナーデータ取得部２１２は、印刷先のＭＦＰ１０に対して、バナーデータ取得要求を行い、バナーデータを取得する。
【０１２９】
ステップＳ３０４において、印刷設定画面生成部２１１は、印刷設定画面９００のバナー表示領域９０１に取得したバナーデータに基づきバナーを挿入する。
【０１３０】
ステップＳ３０５において、印刷設定画面９００において挿入された「バナー」、「一覧」ボタン又は「ＯＫ」（印刷実行指示）ボタンのいずれかがクリック等により選択されたか否かが判定される。
【０１３１】
ここで、ステップＳ３０５で「バナー」が選択された場合、ステップＳ３０６において、Ｗｅｂブラウザが起動され、バナーデータに対応するサイトＵＲＬに対してアクセスを行い、印刷設定画面生成部２１１は、広告サイトを表示させる指示を表示制御部２３に行う。
【０１３２】
ステップＳ３０７において、表示制御部２３による広告サイトの表示後、広告表示完了通知部２１３は、ＭＦＰ１０に対して広告表示完了通知を行う。
【０１３３】
一方、ステップＳ３０５で印刷設定画面９００の「一覧」ボタン９０２が選択された場合、ステップＳ３０８において、印刷設定画面生成部２１１は、バナー一覧画面９１０を表示させる指示を表示制御部２３に行う。
【０１３４】
また、ステップＳ３０５で印刷設定画面９００の「ＯＫ」（印刷実行指示）ボタンが選択された場合、ステップＳ３０９において、印刷データ生成部２１４が印刷対象のデータに基づき印刷データを生成し、印刷実行要求部２１５が印刷データをＭＦＰ１０に送信する。
【０１３５】
以上、上述したように、本発明の実施形態におけるコンテンツ提供システム１によれば、プリンタドライバ２１を起動後に表示される印刷設定画面９００に、ユーザの属性情報に基づく広告等を表示させることができる。
【０１３６】
これにより、ＭＦＰ１０を使用するユーザの作業を妨げることなく、ユーザに対して効果的な広告を提供することができる。
【０１３７】
また、本発明の実施形態の広告提供システム１は、ユーザ識別情報（会員ＩＤ）に基づき、広告の配信が行われる。したがって、例えば電子メールアドレスや住所等の個人情報を用いることなく、安全かつ効率的に広告を提供できる。
【０１３８】
なお、本発明の実施形態における印刷設定画面９００は、ＭＦＰ１０等の画像処理装置が有する機能を実行するときの条件（実行条件）を設定する画面の一例である。したがって、本発明の実施形態の広告提供システム１は、クライアント端末２０において表示される、ＭＦＰ１０以外の画像処理装置が有する機能を実行するときの実行条件を設定する設定画面において、広告のバナーデータのような所定の画像データを含めて表示させることができる。
【０１３９】
以上、本発明の実施形態について詳述したが、本発明はかかる特定の実施の形態に限定されるものではなく、特許請求の範囲に記載された本発明の要旨の範囲内において、種々の変形、変更が可能である。
【符号の説明】
【０１４０】
１        広告提供システム
２        広告管理システム
１０      ＭＦＰ
１１      広告情報受信部
１２      バナーデータ検索部
１３      広告表示状況通知部
１４      印刷実行部
１５      受信広告情報蓄積部
１６      ＭＦＰ情報記憶部
２０      クライアント端末
２１      プリンタドライバ
２１１    印刷設定画面生成部
２１２    バナーデータ取得部
２１３    広告表示完了通知部
２１４    印刷データ生成部
２１５    印刷実行要求部
２２      Ｗｅｂブラウザ
２２１    Ｗｅｂ  ＵＩ部
２３      表示制御部
２４      入力受付部
２５      印刷設定画面情報記憶部
３０      会員情報管理サーバ
３１      会員情報管理部
３２      会員情報記憶部
４０      ＭＦＰ管理サーバ
４１      ＭＦＰ使用履歴管理部
４２      ＭＦＰ使用履歴記憶部
５０      広告管理サーバ
５１      広告登録受付部
５２      広告情報配信部
５３      広告状況管理部
５４      広告情報記憶部
６０      事業者情報管理サーバ
６１      事業者情報管理部
６２      事業者情報記憶部
７０      事業者端末
７１      広告登録要求部
７２      入力受付部
８０      事業者管理サーバ
８１      画面データ送信部
８２      広告データ記憶部
８３      アンケートデータ記憶部
８４      通販サイトデータ記憶部
９００    印刷設定画面
９０１    バナー表示領域
【先行技術文献】
【特許文献】
【０１４１】
【特許文献１】特開２００４−２４０７５２号公報
【特許文献２】特開２００９−２２３０３０号公報
【特許文献３】特開２００１−２９０６１０号公報
【図１】
2015046015.tif 000003
【図２】
2015046015.tif 000004
【図３】
2015046015.tif 000005
【図４】
2015046015.tif 000006
【図５】
2015046015.tif 000007
【図６】
2015046015.tif 000008
【図７】
2015046015.tif 000009
【図８】
2015046015.tif 000010
【図９】
2015046015.tif 000011
【図１０】
2015046015.tif 000012
【図１１】
2015046015.tif 000013
【図１２】
2015046015.tif 000014
【図１３】
2015046015.tif 000015
【図１４】
2015046015.tif 000016
【図１５】
2015046015.tif 000017
【図１６】
2015046015.tif 000018
【図１７】
2015046015.tif 000019
【図１８】
2015046015.tif 000020
【図１９】
2015046015.tif 000021
【図２０】
2015046015.tif 000022